(57)【要約】【課題】柔軟かつ効率的に快適度の改善を図ることが可能な照明制御システム及び照明制御方法を提供する。【解決手段】照明状態の調節が可能な照明手段と、前記照明手段による照明状態に対する対象者の快適さの度合いである快適度を検出する快適度申告ダイヤルと、対象者の快適度が改善するように、前記照明手段の照明状態を調節するパソコンと、を具備する照明制御システムであって、パソコンは、前記照明手段の照明状態と対象者の快適度との関係を学習し、学習した前記照明手段の照明状態（点灯度）と対象者の快適度との関係から対象者の快適度を改善することが可能な前記照明手段の照明状態の希望値を算出し、前記希望値に、生体ゆらぎ理論に基づいて算出されたノイズを加算して前記照明手段の照明状態の目標値を算出し、前記照明手段の照明状態が前記目標値となるように調節する一連の照明制御を繰り返す。【選択図】図２
2015103453.tif 000002
【特許請求の範囲】
【請求項１】
照明状態の調節が可能な照明手段と、
前記照明手段による照明状態に対する対象者の快適さの度合いである快適度を検出する快適度検出手段と、
前記対象者の快適度が改善するように、前記照明手段の照明状態を調節する制御手段と、
を具備する照明制御システムであって、
前記制御手段は、
前記照明手段の照明状態と前記対象者の快適度との関係を学習し、
学習した前記照明手段の照明状態と前記対象者の快適度との関係から前記対象者の快適度を改善することが可能な前記照明手段の照明状態の希望値を算出し、
前記希望値に、生体ゆらぎ理論に基づいて算出されたノイズを加算して前記照明手段の照明状態の目標値を算出し、
前記照明手段の照明状態が前記目標値となるように調節する一連の照明制御を繰り返すことを特徴とする、
照明制御システム。
【請求項２】
前記制御手段は、
前記対象者が複数いる場合には、
前記照明手段による照明状態が各対象者の快適度に与える影響の大きさの度合いである影響度を算出し、
各照明手段についての影響度によって重み付けされた前記希望値の平均値を算出し、
当該希望値の平均値に、生体ゆらぎ理論に基づいて算出されたノイズを加算して前記照明手段の照明状態の目標値を算出することを特徴とする、
請求項１に記載の照明制御システム。
【請求項３】
前記照明手段は、
室内全体を照明するアンビエント照明手段と、
前記対象者に対応して設けられ、当該対象者の周囲を局所的に照明するタスク照明手段と、
を含み、
前記制御手段は、
前記アンビエント照明手段及び前記タスク照明手段の照明状態をそれぞれ個別に調節することを特徴とする、
請求項１又は請求項２に記載の照明制御システム。
【請求項４】
前記アンビエント照明手段は、
前記対象者に対して相対的に異なる位置に複数設けられ、
前記制御手段は、
前記複数のアンビエント照明手段の照明状態をそれぞれ個別に調節することを特徴とする、
請求項３に記載の照明制御システム。
【請求項５】
前記照明手段の照明状態は、
当該照明手段による照明の明るさ及び／又は当該照明手段による照明の光の色を含むことを特徴とする、
請求項１から請求項４までのいずれか一項に記載の照明制御システム。
【請求項６】
前記制御手段は、
前記照明手段の照明状態と前記対象者の快適度との関係を学習する際に、線形重回帰分析を用いることを特徴とする、
請求項１から請求項５までのいずれか一項に記載の照明制御システム。
【請求項７】
前記制御手段は、
前記希望値の分散が大きいほど前記ノイズの分散が大きくなるように設定することを特徴とする、
請求項１から請求項６までのいずれか一項に記載の照明制御システム。
【請求項８】
照明手段による照明状態に対する対象者の快適さの度合いである快適度が改善するように、前記照明手段の照明状態を調節する照明制御方法であって、
前記照明手段の照明状態と前記対象者の快適度との関係を学習し、
学習した前記照明手段の照明状態と前記対象者の快適度との関係から前記対象者の快適度を改善することが可能な前記照明手段の照明状態の希望値を算出し、
前記希望値に、生体ゆらぎ理論に基づいて算出されたノイズを加算して前記照明手段の照明状態の目標値を算出し、
前記照明手段の照明状態が前記目標値となるように調節する一連の照明制御を繰り返すことを特徴とする、
照明制御方法。
【発明の詳細な説明】
【技術分野】
【０００１】
本発明は、対象者の快適度が改善するように照明手段の照明状態を調節する照明制御システム及び照明制御方法の技術に関する。
【背景技術】
【０００２】
従来、対象者の快適度が改善するように照明手段の照明状態を調節する照明制御システム及び照明制御方法の技術は公知となっている。例えば、特許文献１に記載の如くである。
【０００３】
特許文献１には、複数の照明器具（照明手段）と、快適度を検出する複数の照度センサ（快適度検出手段）と、対象者の快適度が改善するように照明器具の光度（照明状態）を調節する照明制御を繰り返す制御装置（制御手段）と、を具備する照明制御システムが記載されている。
【０００４】
このような照明制御システムにおいて、制御装置は、繰り返し行われる照明制御において算出される平均快適度（快適度の平均値）に基づいて、照明器具の光度を調節するための入力電圧の重み付き平均値を算出する。そして制御装置は、この入力電圧の重み付き平均値に基づいて、次の照明制御における入力電圧を算出する。またこの際、制御装置は生体ゆらぎ理論を用いて、所定のノイズの範囲内から次の入力電圧を決定する。これによって、適切な入力電圧をノイズの範囲内から柔軟に探索し、快適度の改善を図ることができる。
【０００５】
しかし、特許文献１に記載の技術では、過去に実際に付与された照明器具の入力電圧に基づいて次の入力電圧を決定するため、徐々に快適度は改善するものの、迅速で効率的な快適度の改善は難しく、当該快適度の改善に時間がかかるおそれがある点で不利であった。
【先行技術文献】
【特許文献】
【０００６】
【特許文献１】特開２０１３−１６５０３１号公報
【発明の概要】
【発明が解決しようとする課題】
【０００７】
本発明は以上の如き状況に鑑みてなされたものであり、その解決しようとする課題は、効率的かつ柔軟に快適度の改善を図ることが可能な照明制御システム及び照明制御方法を提供することである。
【課題を解決するための手段】
【０００８】
本発明の解決しようとする課題は以上の如くであり、次にこの課題を解決するための手段を説明する。
【０００９】
即ち、請求項１においては、照明状態の調節が可能な照明手段と、前記照明手段による照明状態に対する対象者の快適さの度合いである快適度を検出する快適度検出手段と、前記対象者の快適度が改善するように、前記照明手段の照明状態を調節する制御手段と、を具備する照明制御システムであって、前記制御手段は、前記照明手段の照明状態と前記対象者の快適度との関係を学習し、学習した前記照明手段の照明状態と前記対象者の快適度との関係から前記対象者の快適度を改善することが可能な前記照明手段の照明状態の希望値を算出し、前記希望値に、生体ゆらぎ理論に基づいて算出されたノイズを加算して前記照明手段の照明状態の目標値を算出し、前記照明手段の照明状態が前記目標値となるように調節する一連の照明制御を繰り返すものである。
【００１０】
請求項２においては、前記制御手段は、前記対象者が複数いる場合には、前記照明手段による照明状態が各対象者の快適度に与える影響の大きさの度合いである影響度を算出し、各照明手段についての影響度によって重み付けされた前記希望値の平均値を算出し、当該希望値の平均値に、生体ゆらぎ理論に基づいて算出されたノイズを加算して前記照明手段の照明状態の目標値を算出するものである。
【００１１】
請求項３においては、前記照明手段は、室内全体を照明するアンビエント照明手段と、前記対象者に対応して設けられ、当該対象者の周囲を局所的に照明するタスク照明手段と、を含み、前記制御手段は、前記アンビエント照明手段及び前記タスク照明手段の照明状態をそれぞれ個別に調節するものである。
【００１２】
請求項４においては、前記アンビエント照明手段は、前記対象者に対して相対的に異なる位置に複数設けられ、前記制御手段は、前記複数のアンビエント照明手段の照明状態をそれぞれ個別に調節するものである。
【００１３】
請求項５においては、前記照明手段の照明状態は、当該照明手段による照明の明るさ及び／又は当該照明手段による照明の光の色を含むものである。
【００１４】
請求項６においては、前記制御手段は、前記照明手段の照明状態と前記対象者の快適度との関係を学習する際に、線形重回帰分析を用いるものである。
【００１５】
請求項７においては、前記制御手段は、前記希望値の分散が大きいほど前記ノイズの分散が大きくなるように設定するものである。
【００１６】
請求項８においては、照明手段による照明状態に対する対象者の快適さの度合いである快適度が改善するように、前記照明手段の照明状態を調節する照明制御方法であって、前記照明手段の照明状態と前記対象者の快適度との関係を学習し、学習した前記照明手段の照明状態と前記対象者の快適度との関係から前記対象者の快適度を改善することが可能な前記照明手段の照明状態の希望値を算出し、前記希望値に、生体ゆらぎ理論に基づいて算出されたノイズを加算して前記照明手段の照明状態の目標値を算出し、前記照明手段の照明状態が前記目標値となるように調節する一連の照明制御を繰り返すものである。
【発明の効果】
【００１７】
本発明の効果として、以下に示すような効果を奏する。
【００１８】
請求項１においては、照明手段の照明状態と対象者の快適度との関係を学習することで、対象者の快適度を改善することができる照明状態を効率良く探索すると同時に、生体ゆらぎ理論を用いることで、対象者の快適度を改善することができる照明状態をノイズの範囲から柔軟に探索することができる。
【００１９】
請求項２においては、複数の対象者の快適度を同時に改善することができる。
【００２０】
請求項３においては、アンビエント照明手段とタスク照明手段を組み合わせて用いている場合にも、対象者の快適度が改善するような照明状態の制御を行うことができる。
【００２１】
請求項４においては、異なる位置に設けられた複数のアンビエント照明手段を用いている場合にも、対象者の快適度が改善するような照明状態の制御を行うことができる。
【００２２】
請求項５においては、照明の明るさ及び／又は照明の色を制御することで、対象者の快適度の改善を図ることができる。
【００２３】
請求項６においては、照明手段の照明状態と対象者の快適度との関係を適切に学習することができる。
【００２４】
請求項７においては、より効率的かつ柔軟に対象者の快適度の改善を図ることができる。
【００２５】
請求項８においては、照明手段の照明状態と対象者の快適度との関係を学習することで、対象者の快適度を改善することができる照明状態を効率良く探索すると同時に、生体ゆらぎ理論を用いることで、対象者の快適度を改善することができる照明状態をノイズの範囲から柔軟に探索することができる。
【図面の簡単な説明】
【００２６】
【図１】本発明の実施の一形態に係る照明制御システムの全体的な構成を示した模式図。
【図２】本実施形態に係る照明制御の処理を示したフローチャート。
【図３】（ａ）図２における学習の処理の詳細を示したフローチャート。（ｂ）同じく、制御値の決定の処理の詳細を示したフローチャート。
【発明を実施するための形態】
【００２７】
まず、図１を用いて、本発明の実施の一形態に係る照明制御システム４の構成について説明する。
【００２８】
照明制御システム４は、部屋１の内部（室内）に在室している人（対象者２）の快適度が改善するように、室内の照明環境を自動的に調節するものである。照明制御システム４は、主としてアンビエント照明装置１０、タスク照明装置２０、快適度申告ダイヤル３０及びパソコン４０を具備する。
【００２９】
アンビエント照明装置１０は、本発明に係る照明手段及びアンビエント照明手段の実施の一形態である。アンビエント照明装置１０は、室内全体の照明（アンビエント照明）を調節するものである。アンビエント照明装置１０は、部屋１の天井に互いに間隔をおいて複数設けられる。アンビエント照明装置１０は、対象者２に対する相対的な位置関係に応じて前方照明装置１１、上方照明装置１３及び後方照明装置１５に分類される。
【００３０】
前方照明装置１１は、対象者２の前方に配置されたアンビエント照明装置１０である。前方照明装置１１は、光の色（色温度）が異なる白色灯１１ａ及び橙色灯１１ｂを具備する。白色灯１１ａは白色（昼白色）の光を発することが可能な電灯である。橙色灯１１ｂは橙色（電球色）の光を発することが可能な電灯である。
【００３１】
前方照明装置１１は、白色灯１１ａ及び橙色灯１１ｂの照明状態を、明るさが弱い「弱」、明るさがやや強い「中」、明るさが強い「強」又は消灯している「切」のいずれかに切り替えることができる。以下では、このような照明状態（「弱」、「中」、「強」又は「切」）を「点灯度」と称する。前方照明装置１１は、白色灯１１ａ及び橙色灯１１ｂの点灯度を適宜調節することで、室内全体の照明を調節することができる。
【００３２】
上方照明装置１３は、対象者２の上方（略真上）に配置されたアンビエント照明装置１０である。上方照明装置１３は、前方照明装置１１と同様に白色灯１３ａ及び橙色灯１３ｂを具備する。上方照明装置１３は、白色灯１３ａ及び橙色灯１３ｂの点灯度を適宜調節することで、室内全体の照明を調節することができる。
【００３３】
後方照明装置１５は、対象者２の後方に配置されたアンビエント照明装置１０である。後方照明装置１５は、前方照明装置１１及び上方照明装置１３と同様に白色灯１５ａ及び橙色灯１５ｂを具備する。後方照明装置１５は、白色灯１５ａ及び橙色灯１５ｂの点灯度を適宜調節することで、室内全体の照明を調節することができる。
【００３４】
タスク照明装置２０は、本発明に係る照明手段及びタスク照明手段の実施の一形態である。タスク照明装置２０は、対象者２の周囲の局所的な照明（タスク照明）を調節するものである。タスク照明装置２０は、対象者２が着座する机３にそれぞれ対応して設けられる。タスク照明装置２０は、その点灯度（「弱」、「中」、「強」又は「切」）を適宜調節することで、対象者２の作業スペースである机３の上の局所的な照明を調節することができる。
【００３５】
快適度申告ダイヤル３０は、本発明に係る快適度検出手段の実施の一形態である。快適度申告ダイヤル３０は、照明状態に対する対象者２の快適度を検出するものである。
【００３６】
ここで「快適度」とは、対象者２が周囲の照明状態（本実施形態においては、アンビエント照明装置１０及びタスク照明装置２０の点灯度）から感じる快適さ（快感／不快感）の度合いを示すものである。対象者２が快適と感じるほど快適度は高く、対象者２が不快と感じるほど快適度は低いものとする。
【００３７】
快適度申告ダイヤル３０は、対象者２が着座する机３の上に配置される。対象者２が、自らが周囲の照明状態に対して感じている快適度を快適度申告ダイヤル３０で指し示すことによって、当該対象者２の現在の照明状態に対する快適度を検出することができる。
【００３８】
パソコン４０は、本発明に係る制御手段の実施の一形態である。パソコン４０は、対象者２の快適度が改善（向上）するように、アンビエント照明装置１０及びタスク照明装置２０の点灯度（照明状態）を調節するものである。パソコン４０は、ＲＡＭやＲＯＭ等の記憶部、ＣＰＵ等の演算処理部等により構成され、種々の情報に基づいて所定の演算処理や記憶等を行うことができる。
【００３９】
パソコン４０はアンビエント照明装置１０に接続され、当該アンビエント照明装置１０の運転（点灯度）を制御することができる。
パソコン４０はタスク照明装置２０に接続され、当該タスク照明装置２０の運転（点灯度）を制御することができる。
なお、パソコン４０は、アンビエント照明装置１０に複数設けられる白色灯及び橙色灯の点灯度、並びにタスク照明装置２０の点灯度を個別に制御することができる。
【００４０】
パソコン４０は快適度申告ダイヤル３０に接続され、当該快適度申告ダイヤル３０による検出結果（検出された対象者２の快適度）を受信することができる。
【００４１】
なお、図１においては、説明の便宜上、室内に対象者２が１名だけ在室している様子を図示しているが、本発明はこれに限るものではなく、２名以上の対象者２が在室していても良い。照明制御システム４は、部屋１に在室している全ての対象者２の快適度がそれぞれ改善するように、アンビエント照明装置１０及びタスク照明装置２０の照明状態を制御することが可能である。
この場合、複数のアンビエント照明装置１０の中から、各対象者２に対する相対的な位置関係に応じて、それぞれの対象者２についての前方照明装置１１、上方照明装置１３及び後方照明装置１５が選定される。また、各対象者２に対応して快適度申告ダイヤル３０が設けられる。
【００４２】
次に、図２を用いて、上述の如く構成された照明制御システム４による、部屋１内の照明の制御の様子（照明制御方法）について説明する。
【００４３】
照明制御システム４は、室内に在室している全ての対象者２の快適度がそれぞれ改善するように、各対象者２の快適度を常時検出し、当該快適度に基づいて照明（アンビエント照明装置１０及びタスク照明装置２０の点灯度）を自動的に制御する。この際、各対象者２の快適度がそれぞれ改善するような照明パターン（各照明の点灯度の組み合わせ）を効率的かつ柔軟に探索するために、「学習」及び「生体ゆらぎ理論」が用いられる。以下、このような照明制御システム４による制御について順に説明する。
【００４４】
パソコン４０による制御の前提として、初期状態においては、パソコン４０はアンビエント照明装置１０及びタスク照明装置２０を所定の点灯度（初期値）に設定する。
【００４５】
図２に示すステップＳ１１０において、パソコン４０は、快適度申告ダイヤル３０を用いて検出された室内に在室している各対象者２の快適度をそれぞれ取得する。
パソコン４０は、当該ステップＳ１１０の処理を行った後、ステップＳ１２０に移行する。
【００４６】
ステップＳ１２０において、パソコン４０は、照明パターンとステップＳ１１０で得られた各対象者２の快適度との組み合わせの履歴から、対象者２ごとの照明状態（点灯度）に対する快適度の判断基準を学習する。すなわち、快適に感じる点灯度は対象者２ごとに異なる（個人差がある）ため、当該対象者２ごとの快適度の判断基準（好みの点灯度）を学習する。
具体的には、対象者２の快適度に影響を与える各要因の「影響の大きさ（影響度）」、及び当該各要因の点灯度の「希望値」を、線形重回帰分析を用いて学習する。
【００４７】
ここで、本実施形態における、対象者２の快適度に影響を与える「要因」とは、（１）前方照明装置１１の白色灯１１ａ、（２）前方照明装置１１の橙色灯１１ｂ、（３）上方照明装置１３の白色灯１３ａ、（４）上方照明装置１３の橙色灯１３ｂ、（５）後方照明装置１５の白色灯１５ａ、（６）後方照明装置１５の橙色灯１５ｂ及び（７）タスク照明装置２０の７つの照明である。
また、「影響の大きさ（影響度）」とは、各要因が対象者２の快適度に与える影響の大きさの度合いである。７つの要因が対象者２の快適度に与える影響の大きさは、当該対象者２との相対的な位置関係や要因自体の照明としての機能及び性能等によってそれぞれ異なると考えられる。
また、「希望値」とは、対象者２の快適度が改善する各要因の点灯度の値（「弱」、「中」、「強」又は「切」）である。すなわち、「希望値」は、各対象者２が快適に感じる（好みの）各要因の点灯度である。
【００４８】
なお、ステップＳ１２０の処理内容の詳細については後述する。
パソコン４０は、ステップＳ１２０の処理を行った後、ステップＳ１３０に移行する。
【００４９】
ステップＳ１３０において、パソコン４０は、ステップＳ１２０における学習結果に基づいて、各要因の点灯度の実際の制御値（目標値）を決定する。
具体的には、ステップＳ１２０における学習結果に基づいて算出される各要因の点灯度の制御値に、生体ゆらぎ理論によるノイズを加算したものを、実際の制御値として決定する。
なお、ステップＳ１３０の処理内容の詳細については後述する。
パソコン４０は、ステップＳ１３０の処理を行った後、ステップＳ１４０に移行する。
【００５０】
ステップＳ１４０において、パソコン４０は、各要因の点灯度がステップＳ１３０において決定された制御値（目標値）になるように、各要因の点灯度を制御する。
【００５１】
照明制御システム４においては、上記ステップＳ１１０からステップＳ１４０までの一連の処理（当該一連の処理を単に「照明制御」と記す）を繰り返すことで、室内に在室している複数の対象者２の快適度がそれぞれ改善するように、照明を自動的に制御することができる。
この照明制御のステップＳ１２０において、対象者２の快適度に影響を与える各要因の「影響度」、及び当該各要因の点灯度の「希望値」を学習することで、対象者２の快適度を改善することが可能な各要因の点灯度を効率的に探索することが可能となる。また、照明制御の繰り返しに伴って学習を繰り返すことで、当該学習の精度（確かさ）の向上が期待される。
また、照明制御のステップＳ１３０において、生体ゆらぎ理論を用いることで、ステップＳ１２０の学習の不確かさ等を考慮した柔軟な点灯度の探索が可能となる。
【００５２】
次に、図３（ａ）を用いて、ステップＳ１２０（学習）の処理内容について詳細に説明する。
【００５３】
ステップＳ１２１において、パソコン４０は、重回帰分析の前処理を行う。
具体的には、パソコン４０は、各要因（各照明）の点灯度の制御値（「弱」、「中」、「強」又は「切」）を質的データとして捉えて、数量化１類のカテゴリーデータとして入力する。
パソコン４０は、ステップＳ１２１の処理を行った後、ステップＳ１２２に移行する。
【００５４】
ステップＳ１２２において、パソコン４０は、各要因の点灯度の制御値及び当該各要因を当該制御値に制御した際に取得した対象者２の快適度の履歴から、数量化１類を利用した重回帰分析によって、下記の数１に示すような快適度と各要因の点灯度（照明状態）との関係を学習（算出）する。
【００５５】
【数１】
2015103453.tif 000003
【００５６】
なお、本実施形態の例で言えば、快適度に影響する要因（照明）の個数は上述の如く７つ（ｋ＝０，１，２，・・・６）である。
【００５７】
パソコン４０は、各対象者２について、上記数１のような快適度と各要因の点灯度との関係を学習する。
パソコン４０は、ステップＳ１２２の処理を行った後、ステップＳ１２３に移行する。
【００５８】
ステップＳ１２３において、パソコン４０は、重回帰分析の後処理を行う。
具体的には、パソコン４０は、ステップＳ１２２において学習した快適度と各要因（各照明）の点灯度（照明状態）との関係（数１）を用いて、各要因の点灯度の「希望値」（下記数２参照）及び対象者２の快適度に影響を与える各要因の「影響度」（下記数３参照）を算出する。
【００５９】
【数２】
2015103453.tif 000004
【００６０】
【数３】
2015103453.tif 000005
【００６１】
上記数２に示すように、ある要因の希望値を求める場合、他の要因の点灯度を固定した状態で、希望値を求める要因の点灯度を「弱」、「中」、「強」又は「切」に変化させ、それぞれの場合の快適度を算出する。そして、算出された快適度が最大になる点灯度を、当該要因の希望値とする。
【００６２】
また、上記数３に示すように、ある要因の影響度を求める場合、他の要因の点灯度を固定した状態で、影響度を求める要因の点灯度を「弱」、「中」、「強」又は「切」に変化させ、それぞれの場合の快適度を算出する。そして、算出された快適度の最大値と最小値との差（快適度の変化の幅）を影響度とする。
【００６３】
パソコン４０は、ステップＳ１２３の処理を行った後、ステップＳ１２０の処理を終了し、ステップＳ１３０（図２参照）に移行する。
【００６４】
上述の如く、ステップＳ１２０（学習）の処理においては、各要因（各照明）の点灯度の制御値及び取得した対象者２の快適度から、快適度と各要因の点灯度（照明状態）との関係を学習する。このように、限られたデータから快適度と各要因の点灯度（照明状態）との関係（数１参照）を学習して利用することで、効率的な快適度の改善を図ることができる。
【００６５】
次に、図３（ｂ）を用いて、ステップＳ１３０（制御値の決定）の処理内容について詳細に説明する。
【００６６】
ステップＳ１３１において、パソコン４０は、ステップＳ１２０における学習結果に基づいて各要因（各照明）の点灯度の制御値を算出する。
具体的には、パソコン４０は、ある要因の点灯度の制御値を求める場合、当該要因の各対象者２に対する影響度の合計が１になるように正規化し、当該影響度により重み付けされた当該要因の希望値の平均値を制御値とする（下記数４参照）。
【００６７】
【数４】
2015103453.tif 000006
【００６８】
パソコン４０は、ステップＳ１３１の処理を行った後、ステップＳ１３２に移行する。
【００６９】
ステップＳ１３２において、パソコン４０は、生体ゆらぎ理論（ゆらぎ）によるノイズを算出する。
【００７０】
ここで、「生体ゆらぎ理論（ゆらぎ）」とは、状況の良さに応じてノイズの大きさを変更し、当該ノイズの範囲内から制御値を探索する手法である。
すなわち、状況が良い場合には小さなノイズを用いて、近傍（狭い範囲）から制御値を丁寧に探索する。一方、状況が悪い場合には大きなノイズを用いて、広範囲から制御値を探索する。
【００７１】
本実施形態においては、状況の良さとは「学習（ステップＳ１２０参照）の確かさ」を意味する。すなわち、学習が不確かな場合に大きなノイズ、学習が確かな場合に小さなノイズを与えることで、学習の不確かさによる制御効率の悪化を抑制することができる。
【００７２】
上記「学習の確かさ」の指標としては、各対象者２の希望値の時間軸における分散を用いる。分散が大きい場合には、希望値の学習が大きく変動していることを表しているため、学習が不確かであると判断し、ノイズを大きくする。このゆらぎによるノイズの算出方法を数式で表すと、下記の数５のようになる。
【００７３】
【数５】
2015103453.tif 000007
2015103453.tif 000008
【００７４】
パソコン４０は、ステップＳ１３２の処理を行った後、ステップＳ１３３に移行する。
【００７５】
ステップＳ１３３において、パソコン４０は、上記ステップＳ１３１において算出された学習結果に基づく制御値に、上記ステップＳ１３２において算出されたノイズを加えて、各要因の点灯度の実際の制御値（目標値）を算出（決定）する。すなわち、パソコン４０は、ステップＳ１３１において算出された学習結果に基づく制御値を中心とするノイズの範囲内から、次の制御値を探索することになる。
【００７６】
上述の如く、ステップＳ１３０（制御値の決定）の処理においては、ステップＳ１２０における「学習の確かさ」に基づくノイズを設定し、当該ノイズの範囲内から次の制御値を探索する。このように、学習に加えて生体ゆらぎ理論を用いることで、当該学習の不確かさを考慮し、当該学習の結果だけに縛られることなく柔軟な制御値の探索が可能となる。
【００７７】
また、上述の照明制御を繰り返し行うことによって、対象者２の快適度への影響（影響度）が小さい照明（例えば、対象者２から遠く離れた位置にある照明）の点灯度は低くなることが期待されるため、省エネ効果も期待することができる。
また、上述の照明制御を繰り返し行うことによって、状況の変化（例えば、対象者２の好みの変化、部屋１の外部からの光の変化、対象者２の移動等）にも追従することができる。
【００７８】
また、上述の照明制御では、各要因（照明）の照明状態として、明るさだけでなく、色（色温度）や前後に配置された照明のバランス等も考慮した制御を効率的に行うことができる。
【００７９】
以上の如く、本実施形態に係る照明制御システム４は、
照明状態の調節が可能な照明手段（アンビエント照明装置１０及びタスク照明装置２０）と、
前記照明手段による照明状態に対する対象者２の快適さの度合いである快適度を検出する快適度申告ダイヤル３０（快適度検出手段）と、
対象者２の快適度が改善するように、前記照明手段の照明状態を調節するパソコン４０（制御手段）と、
を具備する照明制御システム４であって、
パソコン４０は、
前記照明手段の照明状態と対象者２の快適度との関係を学習し（上記数１）、
学習した前記照明手段の照明状態（点灯度）と対象者２の快適度との関係から対象者２の快適度を改善することが可能な前記照明手段の照明状態の希望値を算出し（上記数２）、
前記希望値に、生体ゆらぎ理論に基づいて算出されたノイズを加算して前記照明手段の照明状態の目標値を算出し（上記数４及び数５）、
前記照明手段の照明状態が前記目標値となるように調節する一連の照明制御を繰り返すものである。
このように構成することにより、前記照明手段の照明状態と対象者２の快適度との関係を学習することで、対象者２の快適度を改善することができる照明状態を効率良く探索すると同時に、生体ゆらぎ理論を用いることで、対象者２の快適度を改善することができる照明状態をノイズの範囲から柔軟に探索することができる。すなわち、快適度を改善するための制御の効率化と高精度化の両立を図ることが可能となる。
【００８０】
また、パソコン４０は、
対象者２が複数いる場合には、
前記照明手段による照明状態が各対象者２の快適度に与える影響の大きさの度合いである影響度を算出し（上記数３）、
各照明手段についての影響度によって重み付けされた前記希望値の平均値を算出し（上記数４）、
当該希望値の平均値に、生体ゆらぎ理論に基づいて算出されたノイズを加算して前記照明手段の照明状態の目標値を算出する（上記数４及び数５）ものである。
このように構成することにより、複数の対象者２の快適度を同時に改善することができる。
【００８１】
また、前記照明手段は、
室内全体を照明するアンビエント照明装置１０（アンビエント照明手段）と、
対象者２に対応して設けられ、当該対象者２の周囲を局所的に照明するタスク照明装置２０（タスク照明手段）と、
を含み、
パソコン４０は、
アンビエント照明装置１０及びタスク照明装置２０の照明状態をそれぞれ個別に調節するものである。
このように構成することにより、アンビエント照明装置１０とタスク照明装置２０を組み合わせて用いている場合にも、対象者２の快適度が改善するような照明状態の制御を行うことができる。
【００８２】
また、アンビエント照明装置１０は、
対象者２に対して相対的に異なる位置に複数設けられ、
パソコン４０は、
前記複数のアンビエント照明装置１０の照明状態をそれぞれ個別に調節するものである。
このように構成することにより、異なる位置に設けられた複数のアンビエント照明装置１０を用いている場合にも、対象者２の快適度が改善するような照明状態の制御を行うことができる。
【００８３】
また、前記照明手段の照明状態は、
当該照明手段による照明の明るさ（「弱」、「中」、「強」又は「切」）及び／又は当該照明手段による照明の光の色（白色又は橙色）を含むものである。
このように構成することにより、照明の明るさ及び／又は照明の色を制御することで、対象者の快適度の改善を図ることができる。
【００８４】
また、パソコン４０は、
前記照明手段の照明状態と対象者２の快適度との関係を学習する際に、線形重回帰分析を用いるものである。
このように構成することにより、照明手段の照明状態と対象者２の快適度との関係を適切に学習することができる。
【００８５】
また、パソコン４０は、
前記希望値の分散が大きいほど前記ノイズの分散が大きくなるように設定するものである。
このように構成することにより、より効率的かつ柔軟に対象者２の快適度の改善を図ることができる。
【００８６】
また、本実施形態に係る照明制御方法は、
照明手段（アンビエント照明装置１０及びタスク照明装置２０）による照明状態に対する対象者２の快適さの度合いである快適度が改善するように、前記照明手段の照明状態を調節する照明制御方法であって、
前記照明手段の照明状態と対象者２の快適度との関係を学習し、
学習した前記照明手段の照明状態（点灯度）と対象者２の快適度との関係から対象者２の快適度を改善することが可能な前記照明手段の照明状態の希望値を算出し、
前記希望値に、生体ゆらぎ理論に基づいて算出されたノイズを加算して前記照明手段の照明状態の目標値を算出し、
前記照明手段の照明状態が前記目標値となるように調節する一連の照明制御を繰り返すものである。
このように構成することにより、前記照明手段の照明状態と対象者２の快適度との関係を学習することで、対象者２の快適度を改善することができる照明状態を効率良く探索すると同時に、生体ゆらぎ理論を用いることで、対象者２の快適度を改善することができる照明状態をノイズの範囲から柔軟に探索することができる。すなわち、快適度を改善するための制御の効率化と高精度化の両立を図ることが可能となる。
【００８７】
なお、本実施形態においては、図１を用いて照明制御システム４の構成を説明したが、本発明の構成は当該照明制御システム４の構成に限るものではない。すなわち、本発明は、アンビエント照明装置１０及びタスク照明装置２０の個数や設置場所等を限定するものではない。例えば、本実施形態においては、アンビエント照明装置１０は対象者２に対して前方、上方又は後方に配置されるものとしたが、対象者２の左右側方に配置されたアンビエント照明装置１０を考慮した制御を行うことも可能である。
【００８８】
また、本実施形態においては、白色灯と橙色灯を別個に設け、それぞれの点灯度を調節する構成としたが、本発明はこれに限るものではない。例えば、明るさと色をそれぞれ調節可能な電灯を使用しても良い。
【００８９】
また、本実施形態においては、各要因（照明）の点灯度は「弱」、「中」、「強」又は「切」のいずれか（４段階）に調節する構成としたが、本発明はこれに限るものではない。すなわち照明の調節可能な段階は任意に設定することが可能である。
【００９０】
また、本実施形態においては、快適度申告ダイヤル３０を用いて対象者２の快適度を検出する構成としたが、本発明はこれに限るものではない。例えば、対象者２の表情や行動を検出して、当該表情や行動に基づいて快適度を検出する構成であっても良い。
【００９１】
また、本実施形態においては、パソコン４０によって照明制御が行われる構成としたが、本発明はこれに限るものではなく、照明制御を行う制御手段は任意に構成することが可能である。また、当該制御手段に種々の情報を表示させることが可能な表示装置を接続し、照明制御に関する情報を表示させる構成とすることも可能である。
【００９２】
また、本実施形態においては、ステップＳ１２０において線形重回帰分析を用いて学習を行うものとしたが、本発明はこれに限るものではない。例えば、非線形重回帰分析やニューラルネットワーク等の他の手法を用いて学習を行うことも可能である。
【００９３】
また、本実施形態においては、照明制御内（ステップＳ１１０からステップＳ１４０まで）で得られたデータに基づいて学習（ステップＳ１２０）を行う構成としたが、事前に実験等によって得られたデータを用いることも可能である。
【００９４】
また、本実施形態においては、ステップＳ１３０においてノイズを算出する際に、状況の良さ（学習の確かさ）を示す指標として、各対象者２の希望値の時間軸における分散を用いたが、本発明はこれに限るものではない。例えば、各対象者２の快適度の時間軸における分散を用いる構成や、希望値及び快適度の両方を組み合わせて用いる構成とすることも可能である。
【符号の説明】
【００９５】
４    照明制御システム
１０  アンビエント照明装置（照明手段、アンビエント照明手段）
２０  タスク照明装置（照明手段、タスク照明手段）
３０  快適度申告ダイヤル（快適度検出手段）
４０  パソコン（制御手段）
【図１】
2015103453.tif 000009
【図２】
2015103453.tif 000010
【図３】
2015103453.tif 000011